(57)【要約】      （修正有）【課題】蚊の浸入を阻止し、蚊の出入りをより確実に抑えることができ、水が逆流したり滞留しても逆流した水を逃がし、中スクリーンが外れる心配や破損する虞をなくす雨水ますを提供する。【解決手段】雨水ます１１の中スクリーン１６は、ます本体１３に掛止する枠体３３と、この枠体３３の底枠４１に一辺６７を固定し一辺に対向する対辺７２を非固定とした害虫移動防止網体３４と、対辺７２に線部材３５で取り付けるとともに枠体３３を介して垂下させた錘３６と、から構成する。【選択図】        図１
2004285652.tif 000002
【特許請求の範囲】
【請求項１】
排水管や排水溝の途中にます本体を設置し、このます本体の上部に外スクリーンを取り付け、外スクリーンの下方に中スクリーンを配置した雨水ますにおいて、
前記中スクリーンは、ます本体に掛止する枠体と、この枠体の底枠に一辺を固定し一辺に対向する対辺を非固定とした害虫移動防止網体と、前記対辺に線部材で取り付けるとともに枠体を介して垂下させた錘と、からなることを特徴とする雨水ます。
【発明の詳細な説明】
【０００１】
【発明の属する技術分野】
本発明は路上や庭に集まる雨水を排水管に流下させる雨水ます（「ます」に枡、桝、マスの字が充てられることがあるが、この明細書では「ます」と表記する。）に関する。
【０００２】
【従来の技術】
地中に埋設する排水管へ、地上の水を流入させるために適当な間隔で雨水ますを設ける。すなわち、雨水ますは地中と地上との連絡路となる。
夏場で雨が少なく、排水管に水が流れていないときに、雨水ますの底に若干の水が溜まることがある。この溜まり水に蚊が卵を産み付け、ぼうふらが発生し、蚊が大量に発生することがあり、その対策が必要となる。
【０００３】
この対策として、ますの内部に中蓋を設けて、蚊の発生や悪臭の飛散を防止することが知られている（例えば、特許文献１参照。）。
また、ますの内部に銅材を設け、銅の殺菌作用で蚊の発生を防止することが知られている（例えば、特許文献２参照。）。
【０００４】
【特許文献１】
特開２００２−２０１７０４公報  （第３頁、図１）
【特許文献２】
特開２０００−１５４５８９公報  （第２頁、図１）
【０００５】
以上の特許文献１、２を、図面を参照の上、詳しく説明する。
図６は従来の排水ますの説明図である（特許文献１の図１を写したもの。）。
従来の排水ますＡは、ます本体１４の上にます蓋１を取り付け、内部に中蓋３（傾斜片６，６を有す。）を開放可能に取り付けたもので、雨水が一定量を超えて一定以上の重力になると巻きばね１１のばね力に抗して傾斜片６，６を開放し、降雨がないときは中蓋３の傾斜片６，６を閉じる。
【０００６】
すなわち、殆どの期間において中蓋が閉じているため、外からの蚊の浸入を防ぐことができる。蚊が浸入しなければ、ぼうふらが発生する虞がない。仮に、ぼうふらが発生したとしても、成虫となった蚊が中蓋３で閉じこめられるため、蚊の発生を効果的に防止することができ、且つ、臭気の漏洩も防止することができるというものである。
【０００７】
図７は従来の防蚊雨水ますの説明図である（特許文献２の図１を写したもの。）。
従来の雨水ます１０は、対向する内部側壁４１，４３の内部にそれぞれ角棒状ガイド２０，２０を取り付け、これらの角棒状ガイド２０，２０と内部側壁４２との間に板状銅部材３０を差し込んだもので、水が滞留する箇所に設けた板状銅部材３０の抗菌作用により、蚊が産み付けた卵を死滅させることができ、蚊の発生を防止することができるというものである。
【０００８】
【発明が解決しようとする課題】
しかし、上記図６に示す特許文献１の排水ますＡでは、傾斜片６，６が開いた際に蚊は中蓋３を通過することができ、少数ではあるが蚊が出入りする心配がある。
また、排水ますＡでは、雨水が増水した場合、排水管１３から逆流した雨水で中蓋３が破損する虞がある。
【０００９】
上記図７に示す特許文献２の雨水ます１０は、板状銅部材３０によって排水に銅イオンが含まれて水質が変化するので、環境に悪影響を及ぼす心配がある。
【００１０】
そこで、本発明の目的は、蚊の出入りをより確実に抑え、破損の虞がない雨水ますを提供することにある。
【００１１】
【課題を解決するための手段】
上記目的を達成するために請求項１では、排水管や排水溝の途中にます本体を設置し、このます本体の上部に外スクリーンを取り付け、外スクリーンの下方に中スクリーンを配置した雨水ますにおいて、中スクリーンは、ます本体に掛止する枠体と、この枠体の底枠に一辺を固定し一辺に対向する対辺を非固定とした害虫移動防止網体と、対辺に線部材で取り付けるとともに枠体を介して垂下させた錘と、からなることを特徴とする。
【００１２】
中スクリーンは、枠体の底枠に害虫移動防止網体を取り付けた構造なので、害虫移動防止網体の網で蚊やはえなどの害虫の進入を阻止することができ、害虫移動防止網体は蚊の出入りをより確実に抑える。
雨水が中スクリーンに流入した場合には、害虫移動防止網体の網が雨水を通し、雨水を排水管に流下させる。
【００１３】
中スクリーンの害虫移動防止網体では、底枠に一辺を固定し一辺に対向する対辺を非固定としたので、大雨などで排水管を通じて水が逆流すると、逆流した水の流量と圧力で害虫移動防止網体の対辺は押し上げられて開き、逆流した水を逃がすことができ、水が逆流したり滞留しても中スクリーンが外れる心配や破損する虞はなくなる。
【００１４】
【発明の実施の形態】
本発明の実施の形態を添付図に基づいて以下に説明する。なお、図面は符号の向きに見るものとする。
図１は本発明に係る雨水ますの断面図であり、雨水ます１１は、土１２の中に配置したます本体１３と、ます本体１３の上部１４に嵌めた外スクリーン１５と、外スクリーン１５の下方に配置した中スクリーン１６とからなる。１８，１８はます本体１３の下部に接続した排水管を示す。
【００１５】
ます本体１３は、第１〜第４側辺（第２側辺と同様である。）２１〜２４と、第１〜第４側辺２１〜２４の下端に形成した底辺２５と、からなる。
外スクリーン１５は、格子部３１を有し、格子部３１で雨水を通す。
【００１６】
中スクリーン１６は、ます本体１３に掛止する枠体３３と、この枠体３３の下部に開閉可能に取り付け、蚊やはえなどの害虫の移動を防ぐ害虫移動防止網体３４と、この害虫移動防止網体３４に線部材３５，３５（図２参照）を介して取り付けた錘３６，３６（図２参照）と、からなる。次に中スクリーン１６をより具体的に説明する。
【００１７】
図２（ａ），（ｂ）は本発明に係る雨水ますの中スクリーンの説明図である。
（ａ）は中スクリーン１６の斜視図で、枠体３３と、害虫移動防止網体３４と、線部材３５，３５と、錘３６，３６とを示す。
【００１８】
枠体３３は、底枠４１を形成し、この底枠４１のそれぞれの角に吊り部材４２・・・（・・・は複数を示す。以下同様。）を取り付け、これらの吊り部材４２・・・の上端にそれぞれ掛止片４３・・・を取り付けたもので、害虫移動防止網体３４を支持する。
【００１９】
底枠４１は、図右の第１本体５１と、第１本体５１の一端に取り付けた第２本体５２と、第１本体５１の他端に取り付けた第３本体５３と、これらの第２・第３本体５２，５３に取り付けた第４本体５４とからなり、第１本体５１の両端に長孔５７，５７を開け、中央に錘用孔６１を開け、第２本体５２を第１本体５１と同様に形成し、第３本体５３の両端に長孔５７，５７（第１本体５１参照）を開け、中央にヒンジ孔６２を形成し、第４本体５４を第３本体５３と同様に形成し、第１〜第４本体５１〜５４を小ねじ６３・・・で連結したものである。Ｌは底枠４１の長さ、Ｗは底枠４１の幅を示す。
【００２０】
害虫移動防止網体３４は、網枠６５に網６６を取り付け、網枠６５の一辺６７をヒンジ軸７１，７１を介して底枠４１に固定し、一辺に対向する対辺７２を非固定とし、対辺７２に錘３６，３６を線部材３５，３５で取り付けた。その際、線部材３５，３５を底枠４１の錘用孔６１，６１に通す。なお、網枠６５の一辺６７側と底枠４１との隙間は１．５ｍｍ以下に設定する。
【００２１】
網６６のメッシュは、１．５ｍｍ以下に設定した。
網６６の材質は任意である。
線部材３５は、樹脂製のひもである。樹脂製のひもの他に、例えば、布製のひも、ピアノ線またはワイヤロープ（極細）を挙げることができる。
【００２２】
（ｂ）は（ａ）のｂ−ｂ線断面図であり、害虫移動防止網体３４の対辺７２に線部材３５で取り付けるとともに枠体３３を介して錘３６を垂下させ、害虫移動防止網体３４の網枠６５と底枠４１の隙間Ｓを小さな値に設定したことを示す。
隙間Ｓは、１．５ｍｍ以下である。
なお、（ａ）に示す網枠６５の一辺６７および対辺７２以外の残りの２辺と底枠４１との隙間も１．５ｍｍ以下に設定する。
【００２３】
以上に述べた雨水ますの作用を次に説明する。
図１に示すように、雨水ます１１の中スクリーン１６は、ます本体１３に掛止する枠体３３と、この枠体３３の底枠４１に一辺６７を固定し一辺６７に対向する対辺７２を非固定とした害虫移動防止網体３４とを備えたので、害虫移動防止網体３４の網６６で蚊の進入を阻止することができ、蚊の出入りをより確実に抑えることができる。
【００２４】
通常の雨量の状態の雨水が中スクリーン１６に流入した場合には、害虫移動防止網体３４の網６６上の泥や落ち葉などの塵の層を通して、雨水を排水管１８に流下させる。従って、雨水を排水することができる。
【００２５】
図３（ａ），（ｂ）は本発明に係る雨水ますの第１作用図である。
（ａ）において、雨水ます１１内に泥７４や落ち葉などの塵７５が落ちると、それらが中スクリーン１６の網６６上に次第に溜まり始める。そこに、雨が降り、雨水７６が矢印▲１▼，▲１▼の如く一気に大量に流入した場合には、泥７４や塵７５で雨水は網６６上に滞留する。その後、溜まった雨水７６の重さで害虫移動防止網体３４は矢印▲２▼の如く下がると同時に、錘３６，３６を矢印▲３▼の如く引き上げる。
【００２６】
（ｂ）において、害虫移動防止網体３４上に溜まった雨水７６の重さで害虫移動防止網体３４の対辺７２側が下がり、雨水７６とともに泥７４や塵７５が雨水ます１１の底に落ち、雨水７６を排水管１８に流下させる。このとき錘３６，３６が底枠４１に当たり害虫移動防止網体３４の勾配を規制する。また、錘３６，３６は害虫移動防止網体３４上に溜まった雨水７６がなくなると、自重で下がると同時に害虫移動防止網体３４の対辺７２側を引き上げて図１に示す原点状態に戻す。
【００２７】
図４は本発明に係る雨水ますの第２作用図である。
大雨などで排水管１８，１８を通じて水が矢印▲４▼，▲４▼の如く逆流すると、逆流した水の流量と圧力で害虫移動防止網体３４は矢印▲５▼の如く押し上げられて開くので、逆流した水を矢印▲６▼，▲６▼の如く逃がすことができる。その際、錘３６，３６が底枠４１に当たり害虫移動防止網体３４の開きを規制する。また、錘３６，３６は逆流が治まると、自重で下がると同時に害虫移動防止網体３４の対辺７２側を引き下げて図１に示す原点状態に戻す。
【００２８】
このように、中スクリーン１６は、ます本体１３に掛止する枠体３３と、この枠体３３の底枠４１に一辺６７を固定し一辺に対向する対辺７２を非固定とした害虫移動防止網体３４と、対辺７２に線部材３５で取り付けるとともに枠体３３を介して垂下させた錘３６と、からなるので、排水管１８，１８から逆流すると、害虫移動防止網体３４は開いて逆流した水を逃がす。従って、水が逆流したり滞留しても中スクリーン１６が外れる心配や破損する虞はなくなる。
【００２９】
図５は本発明に係る雨水ますの第３作用図である。
雨水ます１１を清掃する場合、まず、外スクリーン１５を取り外し、掛止片４３，４３５を持ち上げることで、中スクリーン１６を取り出し、二点鎖線に示すように反転して泥７４や塵７５を取り除く。その結果、雨水ます１１の底の汚泥を何回も掻き出す必要がなく、手間がかからない。
【００３０】
雨水ます１１を設置する環境条件によっては、図３に示すように雨水ます１１の底に泥７４や塵７５が溜まるがことがあるが、害虫移動防止網体３４を取り付けることで、雨水ます１１の底に堆積する泥７４や塵７５の量は、害虫移動防止網体３４を取り付けない場合と比べて少なくなる。
【００３１】
中スクリーン１６上の泥７４や塵７５の量が少ないときは、中スクリーン１６を外さない状態で矢印▲７▼の如く直接泥７４や塵７５を取り出してもよく、浅くなる分、泥７４や塵７５の除去作業は容易である。
【００３２】
図２に示す枠体３３の底枠４１は、第１〜第４本体５１〜５４に４分割し、これらの第１〜第４本体５１〜５４を長孔５７・・・および小ねじ６３・・・により連結する構成なので、底枠４１の長さＬおよび幅Ｗの寸法を調整することができ、雨水ます１１とは異なる大きさの雨水ますに一致する枠体３３の底枠４１を新たに設計・製造する必要がなく、生産コストの削減を図ることができる。
【００３３】
害虫移動防止網体３４では、網枠６５に網６６を取り付け、ヒンジ軸７１，７１を用いて網枠６５を開閉させる構成なので、網６６の耐久性の向上を図ることができる。
【００３４】
尚、本発明の実施の形態に示した図２の底枠４１に網枠６５を用いて網６６を取り付けたが、底枠４１に網６６を取り付ける構造は任意であり、例えば、網枠６５を省いて、底枠４１に一辺６７（（ａ）参照）側の網６６を直接固定することも可能である。
錘３６の数量は任意である。
【００３５】
【発明の効果】
本発明は上記構成により次の効果を発揮する。
請求項１では、雨水ますの中スクリーンは、ます本体に掛止する枠体と、この枠体の底枠に一辺を固定し一辺に対向する対辺を非固定とした害虫移動防止網体と、対辺に線部材で取り付けるとともに枠体を介して垂下させた錘と、からなるので、害虫移動防止網体の網で蚊の進入を阻止することができ、蚊の出入りをより確実に抑えることができる。
雨水が中スクリーンに流入した場合には、害虫移動防止網体の網が雨水を通し、雨水を排水管に流下させる。従って、雨水を排水することができる。
【００３６】
中スクリーンの害虫移動防止網体は、一辺を固定し一辺に対向する対辺を非固定としたので、大雨などで排水管を通じて水が逆流すると、逆流した水の流量と圧力で害虫移動防止網体の対辺は押し上げられて開き、逆流した水を逃がすことができ、水が逆流したり滞留しても中スクリーンが外れる心配や破損する虞をなくすることができる。
【図面の簡単な説明】
【図１】本発明に係る雨水ますの断面図
【図２】本発明に係る雨水ますの中スクリーンの説明図
【図３】本発明に係る雨水ますの第１作用図
【図４】本発明に係る雨水ますの第２作用図
【図５】本発明に係る雨水ますの第３作用図
【図６】従来の排水ますの説明図
【図７】従来の防蚊雨水ますの説明図
【符号の説明】
１１…雨水ます、１３…ます本体、１４…ます本体の上部、１５…外スクリーン、１６…中スクリーン、１８…排水管、３３…枠体、３４…害虫移動防止網体、３５…線部材、３６…錘、４１…底枠、６７…一辺、７２…対辺。
【図１】
2004285652.tif 000003
【図２】
2004285652.tif 000004
【図３】
2004285652.tif 000005
【図４】
2004285652.tif 000006
【図５】
2004285652.tif 000007
【図６】
2004285652.tif 000008
【図７】
2004285652.tif 000009